(57)【要約】 【課題】  浄化材の交換作業を簡単にして、各種舗装体や造成地における浄化機能を容易に低コストで維持する。【解決手段】  舗装体や造成地に透水管(１)を埋設する。この透水管(１)は、有害物質を除去する浄化材(31)を充填した内側有孔管(11)を、外側有孔管(10)内に挿脱可能に挿通してなる。【選択図】  図１
2006070439.tif 000002
【特許請求の範囲】
【請求項１】
管壁に複数の透水孔を有する外側有孔管内に、管壁に複数の透水孔を有する内側有孔管を挿脱可能に挿通するとともに、前記内側有孔管に、その内側有孔管内に流れ込んだ流体に含まれる有害物質を除去する浄化材を設けたことを特徴とする地中埋設用の透水管。
【請求項２】
前記内側有孔管内に、前記浄化材を充填した請求項１記載の地中埋設用の透水管。
【請求項３】
前記内側有孔管の端部に、その内側有孔管内からの浄化材の流出を阻止する蓋部材を取り付けた請求項２記載の地中埋設用の透水管。
【請求項４】
前記内側有孔管は、その管壁に螺旋状の凹凸部を形成した螺旋波形管からなり、この内側有孔管の端部に前記蓋部材を螺合した請求項３記載の地中埋設用の透水管。
【請求項５】
前記蓋部材は、前記内側有孔管に継ぎ足される別の内側有孔管の端部に接続するための継手機能を有する請求項３又は４記載の地中埋設用の透水管。
【請求項６】
前記継手機能を有する蓋部材は、前記内側有孔管の端部に内嵌する第１筒状体と、この第１筒状体に設けられて、前記内側有孔管の端部開口を覆う第１遮蔽体と、前記別の内側有孔管の端部に内嵌する第２筒状体と、この第２筒状体に設けられて、前記別の内側有孔管の端部開口を覆う第２遮蔽体と、前記第１筒状体又は第２筒状体のいずれか一方に設けられて、第１筒状体又は第２筒状体のいずれか他方に内嵌する第３筒状体とを備えている請求項５記載の地中埋設用の透水管。
【請求項７】
前記内側有孔管の管壁に、前記浄化材を一体的に備え付けた請求項１記載の地中埋設用の透水管。
【請求項８】
前記内側有孔管の管壁の一部又は全部を、前記浄化材によって構成した請求項１記載の地中埋設用の透水管。
【請求項９】
前記内側有孔管の端部を、集水桝内に臨ませた請求項１乃至８のいずれかに記載の地中埋設用の透水管。
【請求項１０】
透水性舗装若しくは排水性舗装を施した舗装体に埋設した請求項１乃至９のいずれかに記載の地中埋設用の透水管。
【発明の詳細な説明】
【技術分野】
【０００１】
この発明は、例えば車道、歩道、駐車場、競技場等における透水性舗装や排水性舗装が施された舗装体、或いは、農地や工場用地、公園、ゴルフ場、野球場、その他各種の造成地に埋設されて、それら舗装体や造成地の地中に浸透した浸透水を浄化する浄化機能を備えた透水管に関する。
【背景技術】
【０００２】
一般に、透水性舗装や排水性舗装が施された舗装体では、路面上に降った雨水を表層を通して浸透させることで、雨水を路面上から速やかに排除するようになっている。この種の舗装体においては、例えば表層が汚染されているような場合、雨水が表層を通ることで有害物質を含有するようになり、その有害物質を含んだ雨水が土壌や河川へ導かれて、環境汚染を招く危険性があった。
【０００３】
また、農地やゴルフ場、野球場等においては、雑草や害虫の駆除のために農薬が散布されて、この農薬を含んだ雨水が土壌や河川へしみ出すことで、環境汚染を招く危険性があった。さらに、工場用地等においては、有害な化学物質等を含んだ汚水が地中に浸透することがあり、この場合においても環境汚染を招く危険性があった。
【０００４】
そこで、例えば特許文献１や特許文献２に開示されているように、舗装体や造成地に、活性炭等の浄化材を層状や柱状に埋め込んで、その浄化材によって雨水等の浸透水に含まれる有害物質を吸着することで、浸透水を浄化するといった方法が採られている。また、舗装体や造成地に、活性炭等の浄化材を充填した暗渠管を埋設して、その暗渠管に浸透水を通すことによって有害物質を吸着することもある。
【０００５】
【特許文献１】特開平５−７６６１９号公報
【特許文献２】特開２００１−２６２５０２号公報
【発明の開示】
【発明が解決しようとする課題】
【０００６】
一般に、活性炭等の浄化材における有害物質の吸着効果は、２年から３年程度で消滅するので、浄化機能を維持するためには、浄化材の定期的な交換が必要となる。
【０００７】
従来においては、浄化材の交換に際して、舗装体や造成地の表層部分を掘り起こすといった面倒な作業を強いられ、浄化機能の維持に多くの費用と労力を要していた。
【０００８】
そこで、この発明は、上記の不具合を解消して、浄化材の交換作業を簡単にして、各種舗装体や造成地における浄化機能を容易に低コストで維持することができる浄化機能を備えた地中埋設用の透水管の提供を目的とする。
【課題を解決するための手段】
【０００９】
上記の課題を解決するため、この発明の地中埋設用の透水管は、管壁に複数の透水孔を有する外側有孔管内に、管壁に複数の透水孔を有する内側有孔管を挿脱可能に挿通するとともに、前記内側有孔管に、その内側有孔管内に流れ込んだ流体に含まれる有害物質を除去する浄化材を設けたことを特徴とする。具体的には、前記内側有孔管内に、前記浄化材を充填している。
【００１０】
また、前記内側有孔管の端部に、その内側有孔管内からの浄化材の流出を阻止する蓋部材を取り付けている。
【００１１】
さらに、前記内側有孔管は、その管壁に螺旋状の凹凸部を形成した螺旋波形管からなり、この内側有孔管の端部に前記蓋部材を螺合している。
【００１２】
そして、前記蓋部材は、前記内側有孔管に継ぎ足される別の内側有孔管の端部に接続するための継手機能を有する。この継手機能を有する蓋部材は、前記内側有孔管の端部に内嵌する第１筒状体と、この第１筒状体に設けられて、前記内側有孔管の端部開口を覆う第１遮蔽体と、前記別の内側有孔管の端部に内嵌する第２筒状体と、この第２筒状体に設けられて、前記別の内側有孔管の端部開口を覆う第２遮蔽体と、前記第１筒状体又は第２筒状体のいずれか一方に設けられて、第１筒状体又は第２筒状体のいずれか他方に内嵌する第３筒状体とを備えている。
【００１３】
また、前記内側有孔管の管壁に、前記浄化材を一体的に備え付けたり、前記内側有孔管の管壁の一部又は全部を、前記浄化材によって構成している。
【００１４】
さらに、前記内側有孔管の端部を、集水桝内に臨ませている。さらにまた、上記透水管は、透水性舗装若しくは排水性舗装を施した舗装体に埋設される。
【発明の効果】
【００１５】
この発明の透水管では、浄化材を設けた内側有孔管を、外側有孔管内に挿脱可能に挿通させた二重管構造となっている。このため、舗装体や造成地の表層部分を掘り起こしたりせずに、内側有孔管を外側有孔管から取り出して浄化材の交換作業を簡単に行うことができ、舗装体や造成地における浄化機能を容易に低コストで維持することができる。
【００１６】
また、内側有孔管の端部に蓋部材を取り付けているので、内側有孔管内からの浄化材の流出を阻止することができ、浄化機能を安定して維持することができる。特に、内側有孔管の端部に蓋部材を螺合することで、蓋部材を外れ難くすることができる。
【００１７】
さらに、蓋部材に継手機能を付加することで、透水管を構成する構成部材を少なくして、施工費等の低減を図ることができる。特に、この継手機能を有する蓋部材を、内側有孔管よりも外側へ張り出すことのない構造とすることで、外側有孔管に対して内側有孔管を挿入若しくは取り出す際に、蓋部材が外側有孔管の内周側に引っ掛かることがなく、施工性の向上を図ることができる。
【００１８】
また、内側有孔管の端部を集水桝内に臨ませることで、内側有孔管の挿入若しくは取り出しを集水桝を利用して行うことができ、施工性をさらに向上することができる。
【００１９】
さらに、内側有孔管の管壁に浄化材を一体化させたり、内側有孔管の管壁の一部又は全体を浄化材で形成することで、内側有孔管に対して浄化材をむらなく配置して、浄化機能を安定させることができる。
【発明を実施するための最良の形態】
【００２０】
以下、この発明の実施形態を図面に基づいて詳細に説明する。この発明の一実施形態に係る透水管(１)は、図２に示すように、例えば車道、歩道、駐車場、競技場等における透水性舗装が施された舗装体(２)に埋設されて、舗装体(２)に浸透した雨水等の浸透水を浄化するものである。
【００２１】
舗装体(２)は、例えば原地盤である路床(３)の上に、砂を敷設してなるフィルター層(４)、クラッシャランを敷設してなる路盤(５)、透水性アスファルト混合物からなる表層(６)を順次積層することによって構成されている。
【００２２】
この舗装体(２)においては、路面上に降った雨水が、表層(６)から路盤(５)、フィルター層(４)、路床(３)へ順次浸透するようになっており、ヒートアイランド現象や洪水の抑制、植生や地中生体の改善に寄与している。
【００２３】
そして、この舗装体(２)におけるフィルター層(４)と路床(３)との間に透水管(１)が埋設されている。なお、埋設に際しては、舗装体(２)の用途、形状や広さ等に応じて、複数本の透水管(１)を適宜間隔をあけて配置している。また、透水管(１)へ浸透水を効率良く導くための不透水層を、舗装体(２)に適宜設けるようにしても良い。
【００２４】
透水管(１)は、図１に示すように、外側有孔管(10)内に内側有孔管(11)を挿脱可能に挿通した二重管構造となっている。
【００２５】
外側有孔管(10)は、図３に示すように、その管壁(12)に螺旋状の凹凸部(13)(14)を形成した可撓性を有する螺旋波形管からなる。管壁(12)は、例えば帯状の樹脂製テープを螺旋状に巻回して形成されるものである。樹脂製テープの材質としては、ポリエチレン樹脂、塩化ビニール樹脂など各種のものが考えられる。
【００２６】
そして、その管壁(12)における底片(15)、及びその底片(15)の横断方向の両端から立ち上がった一対の側片(16)(16)には、その長手方向に適宜間隔をあけて多数の透水孔(18)(18)…が例えば一列に形成されている。
【００２７】
なお、外側有孔管(10)としては、このような螺旋波形管に限定されるものではなく、例えば管壁に環状の凹凸部を軸方向に交互に形成した波形管や、内外周面がフラットな管壁を有する直管を用いるようにしても良い。
【００２８】
内側有孔管(11)は、図４に示すように、その管壁(20)に螺旋状の凹凸部(21)(22)を形成した可撓性を有する螺旋波形管からなる。管壁(20)は、例えば帯状の樹脂製テープを螺旋状に巻回して形成されるものである。樹脂製テープの材質としては、ポリエチレン樹脂、塩化ビニール樹脂など各種のものが考えられる。
【００２９】
そして、その管壁(20)における底片(25)、及びその底片(25)の横断方向の両端から立ち上がった一対の側片(26)(26)には、その長手方向に適宜間隔をあけて多数の透水孔(30)(30)…が例えば二列に形成されている。これら透水孔(30)(30)…は、外側有孔管(10)の透水孔(18)(18)…よりも目が細かくなっている。
【００３０】
なお、内側有孔管(11)としては、このような螺旋波形管に限定されるものではなく、例えば管壁に環状の凹凸部を軸方向に交互に形成した波形管や、内外周面がフラットな管壁を有する直管を用いるようにしても良い。
【００３１】
この内側有孔管(11)内には、図１に示すように、舗装体(２)に浸透した浸透水に含まれる有害物質を吸着除去するための浄化材(31)が充填されている。浄化材(31)としては、例えば粒径が１〜５ｍｍ程度の活性炭が用いられている。充填に際しては、活性炭をそのまま内側有孔管(11)内に詰め込んだり、或いは、活性炭をフィルター材等に混入して成形したものを内側有孔管(11)内に詰め込むようにしている。
【００３２】
なお、浄化材としては、活性炭だけでなく、例えばゼオライトやシリカゲル等の無機系吸着剤、或いは、イオン交換樹脂やキレート樹脂等の有機系吸着剤を用いるようにしても良い。さらに、浄化材(31)だけでなく、例えば保水材等の各種機能を有する機能材料を併せて充填するようにしても良い。
【００３３】
また、内側有孔管(11)内に浄化材(31)を充填する代わりに、例えば内側有孔管(11)の管壁(20)に浄化材(31)を一体的に備え付けたり、内側有孔管(11)の管壁(20)の一部又は全部を浄化材(31)によって構成しても良い。管壁(20)に浄化材(31)を一体的に備え付ける場合には、例えば管壁(20)の内周面にシート状に成形した浄化材(31)を貼り付けたり、管壁(20)の凸部(22)の内周溝内に浄化材を詰め込むようにすれば良い。また、管壁(20)を浄化材(31)によって構成する場合には、例えば浄化材(31)に成形性を高めるための各種の添加剤を加えた材料によって、管壁(20)の一部又は全体を成形すれば良い。
【００３４】
このような内側有孔管(11)の一方の端部(40)には、図５及び図６に示すように、内側有孔管(11)内からの浄化材(31)の流出を阻止する蓋部材(42)が取り付けられる。また、内側有孔管(11)の他方の端部(41)には、図７及び図８に示すように、内側有孔管(11)内からの浄化材(31)の流出を阻止するとともに、その内側有孔管(11)に継ぎ足される別の内側有孔管(11a)の端部(41a)に接続するための継手機能を有する蓋部材(43)が取り付けられる。なお、蓋部材(42)(43)の材質としては、ポリエチレン樹脂、塩化ビニール樹脂など各種のものが考えられる。
【００３５】
蓋部材(42)は、図６に示すように、筒状体(45)と、この筒状体(45)の一端側に設けられた遮蔽体(46)とを備えている。筒状体(45)には、螺旋状の突条部(47)が径内方向へ膨出して形成されている。また、遮蔽体(46)には、多数の排水孔(48)(48)…が形成されている。そして、図５に示すように、この蓋部材(42)の筒状体(45)における突条部(47)を、内側有孔管(11)の端部(40)における凹部(21)に螺合させることによって、筒状体(45)が内側有孔管(11)の端部(40)に外嵌するとともに、遮蔽体(46)が内側有孔管(11)の端部開口を覆うようにして、蓋部材(42)が内側有孔管(11)の端部(40)に取り付けられる。
【００３６】
蓋部材(43)は、図７及び図８に示すように、第１筒状体(50)と、この第１筒状体(50)の一端側に設けられた第１遮蔽体(51)と、第２筒状体(52)と、この第２筒状体(52)の一端側に設けられた第２遮蔽体(53)と、第１筒状体(50)の他端側から軸方向へ一体に延設された第３筒状体(54)とを備えている。
【００３７】
第１筒状体(50)には、螺旋状の突条部(55)が径外方向へ膨出して形成されており、第１遮蔽体(51)には、多数の排水孔(56)(56)…が形成されている。そして、この第１筒状体(50)の突条部(55)を、内側有孔管(11)の端部(41)における凸部(22)の内周溝に螺合させることによって、第１筒状体(50)が内側有孔管(11)の端部(41)に内嵌するとともに、第１遮蔽体(51)が内側有孔管(11)の端部開口を覆っている。
【００３８】
第２筒状体(52)には、螺旋状の突条部(57)が径外方向へ膨出して形成されており、第２遮蔽体(53)には、多数の排水孔(58)(58)…が形成されている。そして、この第２筒状体(52)の突条部(57)を、別の内側有孔管(11a)の端部(41a)における凸部(22a)の内周溝に螺合させることによって、第２筒状体(52)が別の内側有孔管(11a)の端部(41a)に内嵌するとともに、第２遮蔽体(53)が別の内側有孔管(11a)の端部開口を覆っている。
【００３９】
第３筒状体(54)は、第１及び第２筒状体(50)(52)よりも小径となっており、螺旋状の突条部(59)が径外方向へ膨出して形成されている。そして、この第３筒状体(54)の突条部(59)を、第２筒状体(52)の突条部(57)の内周溝に螺合させることによって、第３筒状体(54)が第２筒状体(52)に内嵌される。
【００４０】
従って、第１及び第２筒状体(50)(52)を内側有孔管(11)(11a)の端部(41)(41a)に夫々内嵌させるとともに、第３筒状体(54)を第２筒状体(52)に内嵌させることで、内側有孔管(11)(11a)の端部(41)(41a)同士が蓋部材(43)を介して接続される。また、この接続状態において、蓋部材(43)は内側有孔管(11)(11a)の端部(41)(41a)内に収容されていて、径外方向へ張り出すことはない。よって、外側有孔管(10)に対して内側有孔管(11)(11a)を挿入又は取り出す際に、内側有孔管(11)(11a)を繋ぐ蓋部材(43)が外側有孔管(10)の内周側に引っ掛かるといった不具合が生じることはない。
【００４１】
なお、この蓋部材(43)においては、第３筒状体(54)を第２筒状体(52)に設けて、第１筒状体(50)に内嵌させるようにしても良い。また、第２筒状体(52)を単独で使用して、内側有孔管(11)の一方の端部(40)に取り付ける蓋部材としても良い。
【００４２】
また、この透水管(１)においては、図５に示すように、外側有孔管(10)の端部と内側有孔管(11)とに跨って、例えば固定用のテープ(61)が巻き付けられて、外側有孔管(10)に対する内側有孔管(11)の軸方向のずれを防止している。
【００４３】
このようにして構成された透水管(１)の端部は、図９に示すように、舗装体(２)に埋設された集水桝(70)内に露出するように配置されている。すなわち、外側有孔管(10)の端部が集水桝(70)に貫通されて、蓋部材(42)が取り付けられた内側有孔管(11)の端部(40)が、集水桝(70)内に臨んでいる。
【００４４】
上記構成において、舗装体(２)内部に浸透した有害物質を含む浸透水は、透水管(１)における外側有孔管(10)の透水孔(18)(18)…から管内へ導かれ、透水孔(30)(30)…を通って内側有孔管(11)の内部に流れ込む。内側有孔管(11)内には、浄化材(31)が充填してあるので、この浄化材(31)によって浸透水に含まれる有害物質が吸着される。有害物質が除去されて浄化した浸透水は、再び管外へ排出して路床(３)へ浸透したり、内側有孔管(11)に沿って流れて蓋部材(42)の排水孔(48)(48)…から集水桝(70)へ流れ込む。なお、集水桝(70)に流れ込んだ浸透水は、排水溝を介して河川等に排出される。
【００４５】
このような浸透水の浄化作用を繰り返すことで、浄化材(31)の吸着効果が低下してくると、浄化材(31)を新たなものに交換する。この交換作業に際しては、従来のように舗装体(２)の一部を掘り起こすようなことはせず、集水桝(70)内に露出した内側有孔管(11)の端部(40)を引っ張って、内側有孔管(11)を外側有孔管(10)に対して引き抜く。この場合、蓋部材(42)及び固定用テープ(61)を取り外してから内側有孔管(11)を引き抜く。そして、取り出した内側有孔管(11)の内部に新たな浄化材(31)を充填し直すか、内側有孔管(11)自体を新たなものに取り換えて、再び内側有孔管(11)を外側有孔管(10)内へ戻すことで、浄化材(31)の交換作業を簡単に終えることができる。
【００４６】
また、内側有孔管(11)に目詰まりが生じた場合には、上記と同様に内側有孔管(11)を外側有孔管(10)に対して引き抜く。そして、取り出した内側有孔管(11)を洗浄するか、内側有孔管(11)自体を新たなものに取り換えて、再び内側有孔管(11)を外側有孔管(10)内へ戻すことで、内側有孔管(11)の目詰まりを解消することができる。
【００４７】
図１０は、他の実施形態に係る透水管(80)を示している。この透水管(80)の内側有孔管(81)は、図１１に示すように、例えば螺旋状に巻回した帯状体(84)と、その先行する帯状体(84)の端縁部とその直後に後行する帯状体(84)の端縁部とに跨って螺旋状に巻回した補強リブ(85)とから構成されている。
【００４８】
帯状体(84)は、帯状の外側フィルタ(86)及び内側フィルタ(87)を備えている。これら内外のフィルタ(86)(87)は、多数の微細な透水孔を有する例えば合成樹脂製のネット或いは不織布等からなる。そして、内側フィルタ(87)を径内方向へ弛ませた状態にして、内外のフィルタ(86)(87)を重ね合わせ、これら内外のフィルタ(86)(87)間に浄化材(31)を収容している。なお、浄化材(31)だけでなく、例えば保水材等の各種機能を有する機能材料を併せて収容するようにしても良い。
【００４９】
補強リブ(85)は、例えば硬質の合成樹脂製であって、その幅方向中央に長手方向に沿った突起(88)が形成されている。そして、螺旋状に巻回した帯状体(84)と螺旋状に巻回した補強リブ(85)を、バインダー(89)を介して互いに接着することで、帯状体(84)と補強リブ(85)とが一体化されて管壁(82)が構成されている。
【００５０】
すなわち、内側有孔管(81)の管壁(82)に、浄化材(31)が一体的に備え付けられている。なお、このように管壁(82)に浄化材(31)を備え付ける代わりに、例えば内側有孔管(81)の管壁(82)内に浄化材(31)を充填したり、内側有孔管(81)の一部又は全部を浄化材(31)によって構成しても良い。
【００５１】
このようにして構成された内側有孔管(81)は、その補強リブ(85)の突起(88)を、外側有孔管(10)の凸部(14)の内周溝に螺合させることによって、外側有孔管(10)に内嵌される。これにより、外側有孔管(10)に対する内側有孔管(81)の軸方向へのずれをなくすことができる。
【００５２】
さらに、この透水管(80)においては、内側有孔管(81)の管壁(82)に浄化材(31)を一体的に備え付けているので、内側有孔管(81)の端部からの浄化材(31)の流出はほとんどない。従って、集水桝(70)内に露出させた内側有孔管(81)の端部に、必ずしも蓋部材を取り付ける必要はないが、内側有孔管(81)内への異物の浸入を防止するために蓋部材を取り付けても良い。
【００５３】
この透水管(80)において、浄化材(31)の吸着効果が低下してくると、集水桝(70)内に露出した内側有孔管(81)の端部を回転させながら、外側有孔管(10)との螺合を解いて、内側有孔管(81)を外側有孔管(10)から取り出す。そして、取り出した内側有孔管(81)に代えて、新たな内側有孔管(81)を再び外側有孔管(10)内へ戻すことで、浄化材(31)の交換作業を簡単に終えることができる。
【００５４】
また、内側有孔管(81)に目詰まりが生じた場合には、上記と同様に内側有孔管(81)を外側有孔管(10)から取り出す。そして、取り出した内側有孔管(81)を洗浄するか、内側有孔管(81)自体を新たなものに取り換えて、再び内側有孔管(81)を外側有孔管(10)内へ戻すことで、内側有孔管(81)の目詰まりを解消することができる。
【００５５】
なお、この発明は、上記実施形態に限定されるものではなく、この発明の範囲内で上記実施形態に多くの修正及び変更を加え得ることは勿論である。例えば、この発明の透水管は、透水性舗装が施された舗装体だけでなく、排水性舗装が施された舗装体や、その他の各種造成地に埋設して浄化や排水に利用しても良い。
【図面の簡単な説明】
【００５６】
【図１】この発明の一実施形態に係る透水管の破断正面図である。
【図２】透水性舗装を施した舗装体の断面図である。
【図３】外側有孔管の破断正面図である。
【図４】内側有孔管の破断正面図である。
【図５】透水管の端部付近の破断正面図である。
【図６】蓋部材の破断正面図である。
【図７】継手機能を有する蓋部材の破断正面図である。
【図８】内側有孔管同士の接続部分の破断正面図である。
【図９】集水桝の斜視図である。
【図１０】他の実施形態に係る透水管の破断正面図である。
【図１１】内側有孔管の破断正面図である。
【符号の説明】
【００５７】
(１)(80)  透水管
(２)  舗装体
(10)  外側有孔管
(11)(81)  内側有孔管
(12)  外側有孔管の管壁  
(18)  外側有孔管の透水孔
(20)(82)  内側有孔管の管壁
(21)  内側有孔管の凹部
(22)  内側有孔管の凸部
(30)  内側有孔管の透水孔
(31)  浄化材
(42)  蓋部材
(43)  継手機能を有する蓋部材
(50)  第１筒状体
(51)  第１遮蔽体
(52)  第２筒状体
(53)  第２遮蔽体
(54)  第３筒状体
(70)  集水桝
【図１】
2006070439.tif 000003
【図２】
2006070439.tif 000004
【図３】
2006070439.tif 000005
【図４】
2006070439.tif 000006
【図５】
2006070439.tif 000007
【図６】
2006070439.tif 000008
【図７】
2006070439.tif 000009
【図８】
2006070439.tif 000010
【図９】
2006070439.tif 000011
【図１０】
2006070439.tif 000012
【図１１】
2006070439.tif 000013